(57)【要約】【課題】煩雑な入力操作を必要とすることなく、ユーザが現在の嗜好に合致したコンテンツを素早く見つけることができるようにすること。【解決手段】既に再生された複数のコンテンツについて、それらに関連する１又は複数の記号を記憶する再生済みコンテンツ記号記憶部４１と、前記各記号から、解析対象となる複数の記号を取得する解析対象記号取得部４２と、取得される前記各記号の関連性を解析する記号解析部６０と、再生対象である１又は複数のコンテンツのうち一部又は全部について、それらに関連する１又は複数の記号を取得する再生対象コンテンツ記号取得部５６と、記号解析部６０による解析結果と、再生対象コンテンツ記号取得部５６により取得される前記各記号と、に基づいて、前記再生対象である１又は複数のコンテンツのうち前記一部又は全部の関連性を示すコンテンツ関連性情報を表示するコンテンツ関連性情報表示部６１と、を含む。【選択図】図４
2007124266.tif 000002
【特許請求の範囲】
【請求項１】
再生対象である１又は複数のコンテンツのうち、ユーザの指定に従って既に再生された複数のコンテンツについて、それらに関連する１又は複数の記号を記憶する再生済みコンテンツ記号記憶手段と、
前記再生済みコンテンツ記号記憶手段に記憶される前記各記号から、解析対象となる複数の記号を取得する解析対象記号取得手段と、
前記解析対象記号取得手段により取得される前記各記号の関連性を解析する記号解析手段と、
前記再生対象である１又は複数のコンテンツのうち一部又は全部について、それらに関連する１又は複数の記号を取得する再生対象コンテンツ記号取得手段と、
前記記号解析手段による解析結果と、前記再生対象コンテンツ記号取得手段により取得される前記各記号と、に基づいて、前記再生対象である１又は複数のコンテンツのうち前記一部又は全部の関連性を示すコンテンツ関連性情報を表示するコンテンツ関連性情報表示手段と、
を含むことを特徴とするコンテンツ案内装置。
【請求項２】
請求項１に記載のコンテンツ案内装置において、
前記記号解析手段は、
前記既に再生された複数のコンテンツの各々に対応する座標軸を有する第１空間における、前記解析対象記号取得手段により取得される前記各記号の位置座標を算出する第１記号位置座標算出手段と、
前記第１記号位置座標算出手段により算出される前記位置座標に基づき、前記第１空間における１又は複数の特徴方向を算出する特徴方向算出手段と、を含み、
前記コンテンツ関連性情報表示手段は、
前記解析対象記号取得手段により取得される前記各記号と、前記再生対象コンテンツ記号取得手段により取得される前記各記号と、に基づいて、前記各特徴方向に対応する座標軸を有する第２空間における、前記再生対象である１又は複数のコンテンツのうち前記一部又は全部の位置座標を算出するコンテンツ位置座標算出手段を含み、前記コンテンツ位置座標算出手段により算出される、前記一部又は全部のコンテンツの位置座標が識別表示された、前記第２空間の一部又は全部を示す画像を前記コンテンツ関連性情報として表示する、
ことを特徴とするコンテンツ案内装置。
【請求項３】
請求項２に記載のコンテンツ案内装置において、
前記第１記号位置座標算出手段は、前記解析対象記号取得手段により取得される前記各記号について、前記既に再生された複数のコンテンツの各々に対する関連の有無又は程度を座標成分とする位置座標を算出する、
ことを特徴とするコンテンツ案内装置。
【請求項４】
請求項３に記載のコンテンツ案内装置において、
前記特徴方向算出手段は、前記第１位置座標算出手段により算出される前記位置座標間の類似度を要素とする類似度行列の１又は複数の固有ベクトルを算出し、該１又は複数の固有ベクトルを前記１又は複数の特徴方向とする、
ことを特徴とするコンテンツ案内装置。
【請求項５】
請求項２乃至４のいずれかに記載のコンテンツ案内装置において、
前記記号解析手段は、
前記特徴方向算出手段により算出される前記特徴方向と、前記第１位置座標算出手段により算出される前記各位置座標と、に基づいて、前記第２空間における、前記解析対象記号取得手段により取得される前記各記号の位置座標を算出する第２位置座標算出手段をさらに含み、
前記コンテンツ位置座標算出手段は、前記再生対象コンテンツ記号取得手段により取得される前記各記号のうち一部又は全部の前記第２空間における位置座標を、前記第２位置座標算出手段により算出される、前記解析対象記号取得手段により取得される前記各記号の位置座標から取得するとともに、それらの位置座標に基づいて、前記再生対象である１又は複数のコンテンツのうち前記一部又は全部の位置座標を算出する、
ことを特徴とするコンテンツ案内装置。
【請求項６】
請求項５に記載のコンテンツ案内装置において、
前記第２位置座標算出手段は、前記特徴方向算出手段により算出される前記特徴方向と、前記第１位置座標算出手段により算出される前記位置座標と、の内積に基づいて、前記第２空間における、前記解析対象記号取得手段により取得される前記各記号の位置座標を算出する、
ことを特徴とするコンテンツ案内装置。
【請求項７】
請求項１乃至６のいずれかに記載のコンテンツ案内装置において、
相互に関連性を有する複数の記号を記憶する記号記憶手段をさらに含み、
前記解析対象記号取得手段は、前記再生済みコンテンツ記号記憶手段に記憶される前記各記号と、前記記号記憶手段に記憶される前記各記号と、から解析対象となる複数の記号を取得する、
ことを特徴とするコンテンツ案内装置。
【請求項８】
請求項１乃至７のいずれかに記載のコンテンツ案内装置において、
前記解析対象記号取得手段は、解析対象として取得する、前記再生済みコンテンツ記号記憶手段に記憶される前記各記号と、前記記号記憶手段に記憶される前記各記号と、の割合を時間経過とともに変化させる、
ことを特徴とするコンテンツ案内装置。
【請求項９】
請求項１乃至８記載のコンテンツ案内装置において、
前記解析対象記号取得手段は、前記再生済みコンテンツ記号記憶手段に記憶される前記各記号のうち、再生タイミングに応じて選択される複数のコンテンツの各々に関連するものを解析対象となる記号として取得する、
ことを特徴とするコンテンツ案内装置。
【請求項１０】
再生対象である１又は複数のコンテンツのうち、ユーザの指定に従って既に再生された複数のコンテンツについて、それらに関連する１又は複数の記号を記憶手段に記憶させる再生済みコンテンツ記号記憶ステップと、
前記記憶手段に記憶される前記各記号から、解析対象となる複数の記号を取得する解析対象記号取得ステップと、
前記解析対象記号取得ステップで取得される前記各記号の関連性を解析する記号解析ステップと、
前記再生対象である１又は複数のコンテンツのうち一部又は全部について、それらに関連する１又は複数の記号を取得する再生対象コンテンツ記号取得ステップと、
前記記号解析ステップでの解析結果と、前記再生対象コンテンツ記号取得ステップで取得される前記各記号と、に基づいて、前記再生対象である１又は複数のコンテンツのうち前記一部又は全部の関連性を示すコンテンツ関連性情報を表示するコンテンツ関連性情報表示ステップと、
を含むことを特徴とするコンテンツ案内方法。
【請求項１１】
再生対象である１又は複数のコンテンツのうち、ユーザの指定に従って既に再生された複数のコンテンツについて、それらに関連する１又は複数の記号を記憶する再生済みコンテンツ記号記憶手段、
前記再生済みコンテンツ記号記憶手段に記憶される前記各記号から、解析対象となる複数の記号を取得する解析対象記号取得手段、
前記解析対象記号取得手段により取得される前記各記号の関連性を解析する記号解析手段、
前記再生対象である１又は複数のコンテンツのうち一部又は全部について、それらに関連する１又は複数の記号を取得する再生対象コンテンツ記号取得手段、及び
前記記号解析手段による解析結果と、前記再生対象コンテンツ記号取得手段により取得される前記各記号と、に基づいて、前記再生対象である１又は複数のコンテンツのうち前記一部又は全部の関連性を示すコンテンツ関連性情報を表示するコンテンツ関連性情報表示手段
としてコンピュータを機能させるためのプログラム。
【請求項１２】
再生対象である１又は複数のコンテンツのうち、ユーザの指定に従って既に再生された複数のコンテンツについて、それらに関連する１又は複数の記号を記憶する再生済みコンテンツ記号記憶手段、
前記再生済みコンテンツ記号記憶手段に記憶される前記各記号から、解析対象となる複数の記号を取得する解析対象記号取得手段、
前記解析対象記号取得手段により取得される前記各記号の関連性を解析する記号解析手段、
前記再生対象である１又は複数のコンテンツのうち一部又は全部について、それらに関連する１又は複数の記号を取得する再生対象コンテンツ記号取得手段、及び
前記記号解析手段による解析結果と、前記再生対象コンテンツ記号取得手段により取得される前記各記号と、に基づいて、前記再生対象である１又は複数のコンテンツのうち前記一部又は全部の関連性を示すコンテンツ関連性情報を表示するコンテンツ関連性情報表示手段
としてコンピュータを機能させるためのプログラムを記憶したコンピュータ読み取り可能な情報記憶媒体。
【発明の詳細な説明】
【技術分野】
【０００１】
本発明はコンテンツ案内装置、コンテンツ案内方法、プログラム及び情報記憶媒体に関し、特に、コンテンツ再生に際して適切なコンテンツをユーザに案内する技術に関する。
【背景技術】
【０００２】
近年、ケーブルテレビや衛星放送の普及により、膨大な数のコンテンツが放送されている。また、ハードディスクドライブ等のデータ記憶手段の著しい容量増加に伴い、ハードディスク録画装置等のコンテンツ再生装置には、膨大な数のコンテンツが録り溜められるようになっており、そこから希望するコンテンツを手早く探し出すが益々困難となっている。この点、検索キーワード等の検索条件を受け付けて、その検索条件に合致するコンテンツを検索する検索機能、或いは過去に視聴したコンテンツの履歴を基にしてユーザの嗜好に合致したコンテンツを探し出し、その視聴をユーザに勧めるリコメンデーション（お勧め）機能をコンテンツ再生装置に設けるようにすれば、ユーザは、これらの機能を使って手早くコンテンツを探すことができるようになる。
【発明の開示】
【発明が解決しようとする課題】
【０００３】
しかしながら、上記検索機能には、適切な検索条件を与えなければ適切な結果が得られないという問題がある。また、キーワード等の検索条件の入力操作は一般に煩雑である。また、過去の一定期間のコンテンツ再生履歴から一定のユーザの嗜好を判断しても、ユーザの気分は変化するから、その通りの嗜好を今現在ユーザが有しているとは限らず、上記リコメンデーション機能では、必ずしも適切なコンテンツをユーザに勧めることができないという問題がある。
【０００４】
本発明は上記課題に鑑みてなされたものであって、その目的は、煩雑な入力操作を必要とすることなく、ユーザが現在の嗜好に合致したコンテンツを素早く見つけることができるコンテンツ案内装置、コンテンツ案内方法、プログラム及び情報記憶媒体を提供することにある。
【課題を解決するための手段】
【０００５】
上記課題を解決するために、本発明に係るコンテンツ案内装置は、再生対象である１又は複数のコンテンツのうち、ユーザの指定に従って既に再生された複数のコンテンツについて、それらに関連する１又は複数の記号を記憶する再生済みコンテンツ記号記憶手段と、前記再生済みコンテンツ記号記憶手段に記憶される前記各記号から、解析対象となる複数の記号を取得する解析対象記号取得手段と、前記解析対象記号取得手段により取得される前記各記号の関連性を解析する記号解析手段と、前記再生対象である１又は複数のコンテンツのうち一部又は全部について、それらに関連する１又は複数の記号を取得する再生対象コンテンツ記号取得手段と、前記記号解析手段による解析結果と、前記再生対象コンテンツ記号取得手段により取得される前記各記号と、に基づいて、前記再生対象である１又は複数のコンテンツのうち前記一部又は全部の関連性を示すコンテンツ関連性情報を表示するコンテンツ関連性情報表示手段と、を含むことを特徴とする。
【０００６】
また、本発明に係るコンテンツ案内方法は、再生対象である１又は複数のコンテンツのうち、ユーザの指定に従って既に再生された複数のコンテンツについて、それらに関連する１又は複数の記号を記憶手段に記憶させる再生済みコンテンツ記号記憶ステップと、前記記憶手段に記憶される前記各記号から、解析対象となる複数の記号を取得する解析対象記号取得ステップと、前記解析対象記号取得ステップで取得される前記各記号の関連性を解析する記号解析ステップと、前記再生対象である１又は複数のコンテンツのうち一部又は全部について、それらに関連する１又は複数の記号を取得する再生対象コンテンツ記号取得ステップと、前記記号解析ステップでの解析結果と、前記再生対象コンテンツ記号取得ステップで取得される前記各記号と、に基づいて、前記再生対象である１又は複数のコンテンツのうち前記一部又は全部の関連性を示すコンテンツ関連性情報を表示するコンテンツ関連性情報表示ステップと、を含むことを特徴とする。
【０００７】
また、本発明に係るプログラムは、再生対象である１又は複数のコンテンツのうち、ユーザの指定に従って既に再生された複数のコンテンツについて、それらに関連する１又は複数の記号を記憶する再生済みコンテンツ記号記憶手段、前記再生済みコンテンツ記号記憶手段に記憶される前記各記号から、解析対象となる複数の記号を取得する解析対象記号取得手段、前記解析対象記号取得手段により取得される前記各記号の関連性を解析する記号解析手段、前記再生対象である１又は複数のコンテンツのうち一部又は全部について、それらに関連する１又は複数の記号を取得する再生対象コンテンツ記号取得手段、及び前記記号解析手段による解析結果と、前記再生対象コンテンツ記号取得手段により取得される前記各記号と、に基づいて、前記再生対象である１又は複数のコンテンツのうち前記一部又は全部の関連性を示すコンテンツ関連性情報を表示するコンテンツ関連性情報表示手段としてコンピュータを機能させるためのプログラムである。また、本発明に係る情報記憶媒体は、このプログラムを記憶した、例えばＤＶＤ−ＲＯＭ、ＣＤ−ＲＯＭ、ＲＯＭカートリッジ等のコンピュータ読み取り可能な情報記憶媒体である。
【０００８】
本発明によれば、既に再生された複数のコンテンツについて、それらに関連する１又は複数の記号が取得される。記号は、例えばコンテンツ自体の中で使われる単語（映画の台詞等）や画像、コンテンツの紹介文その他の付属情報の中で使われる単語（作者等）や画像である。そして、それらの記号の関連性を解析するとともに、その解析結果と、再生対象となる各コンテンツに関連する記号と、に基づいて、再生対象となる各コンテンツの関連性を示すコンテンツ関連性情報が表示される。本発明によれば、実際に再生されたコンテンツに関連する記号を用いて記号解析を行い、その解析結果に基づいてコンテンツ関連性情報を表示するので、利用実態に即したコンテンツの案内が可能となる。また、検索条件等の入力操作が特段必要なく、また、再生対象となる各コンテンツの関連性を示すコンテンツ関連性情報を見て、ユーザは現在の嗜好に合致したコンテンツを素早く見つけることができる。
【０００９】
なお、前記記号解析手段は、前記既に再生された複数のコンテンツの各々に対応する座標軸を有する第１空間における、前記解析対象記号取得手段により取得される前記各記号の位置座標を算出する第１記号位置座標算出手段と、前記第１記号位置座標算出手段により算出される前記位置座標に基づき、前記第１空間における１又は複数の特徴方向を算出する特徴方向算出手段と、を含んでよい。また、前記コンテンツ関連性情報表示手段は、前記解析対象記号取得手段により取得される前記各記号と、前記再生対象コンテンツ記号取得手段により取得される前記各記号と、に基づいて、前記各特徴方向に対応する座標軸を有する第２空間における、前記再生対象である１又は複数のコンテンツのうち前記一部又は全部の位置座標を算出するコンテンツ位置座標算出手段を含み、前記コンテンツ位置座標算出手段により算出される、前記一部又は全部のコンテンツの位置座標が識別表示された、前記第２空間の一部又は全部を示す画像を前記コンテンツ関連性情報として表示するようにしてもよい。
【００１０】
この態様では、同じコンテンツに関連する記号間には相関があることを利用して、単語等の記号の関連性を適切に解析することができる。そして、その解析結果に基づいて、データ記憶手段に記憶されるコンテンツの関連性を適切に表示することができる。
【００１１】
また、前記第１記号位置座標算出手段は、前記解析対象記号取得手段により取得される前記各記号について、前記既に再生された複数のコンテンツの各々に対する関連の有無又は程度を座標成分とする位置座標を算出するようにしてもよい。
【００１２】
この場合、前記特徴方向算出手段は、前記第１位置座標算出手段により算出される前記位置座標間の類似度を要素とする類似度行列の１又は複数の固有ベクトルを算出し、該１又は複数の固有ベクトルを前記１又は複数の特徴方向としてもよい。類似度行列は実対称行列であり、その固有ベクトルはべき乗法によって算出できる。そして、べき乗法は、行列要素のうち特徴要素を強め、非特徴要素を平均化する作用を有するものであり、これにより算出される固有ベクトルは、第１空間に内在する特徴方向を顕在化させたものと評価することができる。
【００１３】
また、前記記号解析手段は、前記特徴方向算出手段により算出される前記特徴方向と、前記第１位置座標算出手段により算出される前記各位置座標と、に基づいて、前記第２空間における、前記解析対象記号取得手段により取得される前記各記号の位置座標を算出する第２位置座標算出手段をさらに含み、前記コンテンツ位置座標算出手段は、前記再生対象コンテンツ記号取得手段により取得される前記各記号のうち一部又は全部の前記第２空間における位置座標を、前記第２位置座標算出手段により算出される、前記解析対象記号取得手段により取得される前記各記号の位置座標から取得するとともに、それらの位置座標に基づいて、前記再生対象である１又は複数のコンテンツのうち前記一部又は全部の位置座標を算出するようにしてもよい。
【００１４】
この場合、前記第２位置座標算出手段は、前記特徴方向算出手段により算出される前記特徴方向と、前記第１位置座標算出手段により算出される前記位置座標と、の内積に基づいて、前記第２空間における、前記解析対象記号取得手段により取得される前記各記号の位置座標を算出してもよい。
【００１５】
さらに、相互に関連性を有する複数の記号を記憶する記号記憶手段をさらに含み、前記解析対象記号取得手段は、前記再生済みコンテンツ記号記憶手段に記憶される前記各記号と、前記記号記憶手段に記憶される前記各記号と、から解析対象となる複数の記号を取得するようにしてもよい。こうすれば、既に再生されたコンテンツが未だ少ない場合等にも、コンテンツ関連性情報の表示に必要な記号解析を実施できる。
【００１６】
この場合、前記解析対象記号取得手段は、解析対象として取得する、前記再生済みコンテンツ記号記憶手段に記憶される前記各記号と、前記記号記憶手段に記憶される前記各記号と、の割合を時間経過とともに変化させるようにしてもよい。こうすれば、時間とともに徐々に記号解析の結果が変化することとなり、それに伴い、コンテンツ関連性情報の内容が徐々に変化することとなり、使い勝手が向上する。
【００１７】
また、前記解析対象記号取得手段は、前記再生済みコンテンツ記号記憶手段に記憶される前記各記号のうち、再生タイミングに応じて選択される複数のコンテンツの各々に関連するものを解析対象となる記号として取得するようにしてもよい。こうすれば、再生日等の再生タイミングに従って、一定日数以上前に再生されたコンテンツについては、それに関連する記号を記号解析の対象から外すことができ、現在の利用実態にあった記号解析を行うことができる。
【発明を実施するための最良の形態】
【００１８】
以下、本発明の一実施形態について図面に基づいて詳細に説明する。
【００１９】
図１は、本発明の一実施形態に係るコンテンツ再生装置（コンテンツ案内装置）のハードウェア構成を示す図である。同図に示すように、本実施形態に係るコンテンツ再生装置１０は、放送チューナ１１、コンテンツプレーヤ１２、記憶装置１３、制御装置１４、操作キー部１５、ディスク読み書き装置１６を含んでいる。放送チューナ１１は、ケーブルテレビ放送、地上波デジタル放送、地上波アナログ放送、衛星放送等の放送信号を受信し、それを映像信号に変換してコンテンツプレーヤ１２に供給するものである。また、放送チューナ１１は、ＥＰＧ（Electric Program Guide）データを受信して、それを制御装置１４に供給する。制御装置１４は、それを記憶装置１３に格納する。
【００２０】
ディスク読み書き装置１６は、ＤＶＤ−ＲＯＭやＤＶＤ−ＲＡＭ等の記録メディアを受け入れて、放送チューナ１１から出力される映像信号に基づく映像コンテンツデータをそこに記憶させたり、或いはそれらの記録メディアから映像コンテンツデータを読み出し、コンテンツプレーヤ１２に供給するものである。記憶装置１３は、例えばハードディスク記憶装置により構成されるものであり、放送チューナ１１から出力される映像信号に基づく映像コンテンツデータを記憶したり、或いは既に記憶された映像コンテンツデータを読み出し、コンテンツプレーヤ１２に供給するものである。また、記憶装置１３は、上述のようにＥＰＧデータを記憶する。なお、このＥＰＧデータには、放送チューナ１１により受信される放送信号の内容を案内する各種の内容紹介データ（例えば出演者、監督、内容説明等）が含まれている。コンテンツプレーヤ１２は、ディスク読み書き装置１６に現在受け入れられている記録メディアに記憶された映像コンテンツ、記憶装置１３に記憶されている映像コンテンツ、放送チューナ１１から出力される映像コンテンツを、制御装置１４からの指示に従って再生し、再生信号を家庭用テレビ受像機２０に出力する。
【００２１】
操作キー部１５は、コンテンツ再生装置１０の動作をユーザが指示するための複数の操作キーを備えており、それらの操作キーの操作内容は制御装置１４に供給される。制御装置１４は、ＣＰＵやＲＡＭを備えたコンピュータを中心に供給されており、コンテンツ再生装置１０の動作を制御する。特に、ディスク読み書き装置１６に現在受け入れられている記録メディアに記憶された映像コンテンツ、記憶装置１３に記憶されている映像コンテンツ、放送チューナ１１から出力される映像コンテンツの中から、ユーザが所望の映像コンテンツを速やかに選択できるようにするため、それらの映像コンテンツの相互の内容的関連性を示すコンテンツ関連性情報（画像）を生成し、それを家庭用テレビ受像機２０により表示する。
【００２２】
図２は、家庭用テレビ受像機２０に表示されるコンテンツ関連性情報の一例を示す図である。同図に示すコンテンツ関連性情報３０には、複数のコンセプト軸３４が表されるとともに、各映像コンテンツについて、各コンセプト軸３４に対する位置づけを示すマーカ３２が表されている。コンセプト軸３４は、多数の映像コンテンツの雰囲気を分類したり、記述したりするのに相応しいコンセプトを示すものであり、例えば「楽しい映像」、「スリルある映像」等の典型的コンセプトを示している。各マーカ３２の横には、そのマーカ３２に対応する映像コンテンツのタイトルが表されている。マーカ３２のうち１つには、カーソル３６が表示されており、このカーソル３６は操作キー部１５に含まれるカーソル移動キーによって他のマーカ３２の位置に移動するようになっている。そして、操作キー部１５に含まれる再生キーを押下することにより、カーソル３６により識別されるマーカ３２に対応する映像コンテンツの再生が開始されるようになっている。このコンテンツ関連性情報３０によれば、類似の内容を有する映像コンテンツについては、それらのマーカ３２が近くに表示され、内容が大きく異なる映像コンテンツについては、それらのマーカ３２が遠くに表示される。従って、ユーザは、家庭用テレビ受像機２０に表示されたコンテンツ関連性情報３０を見ながら、内容を類推し、所望の映像コンテンツの再生を指示することができるようになる。
【００２３】
図３は、コンテンツ再生装置１０によるコンテンツ関連性情報３０の生成処理を説明する概念図である。コンテンツ再生装置１０では、１つの映像コンテンツの内容紹介データ（ＥＰＧデータに含まれる）に含まれる、コミュニケーション記号である単語間には相互に関連があることを利用し、複数の映像コンテンツの内容紹介データに含まれる単語間の意味上の関連性を解析している。具体的には、各映像コンテンツの内容紹介データから、そこに含まれる単語を抽出し、それらの単語の各映像コンテンツに対する関連度を判断する。例えば、第ｋ番目の映像コンテンツの内容紹介データにおいて単語Ｗｉが１回以上使用されていれば、関連度ｇｋｉの値は１であり、１回も使用されていなければｇｋｉの値は０である。また、第ｋ番目の映像コンテンツの内容紹介データにおける単語Ｗｉの使用回数又はそのランクを関連度ｇｋｉとしてもよい。
【００２４】
その後、コンテンツ再生装置１０では、各映像コンテンツに対応する座標軸により張られる空間（第１空間）を用意して、この第１空間に各単語を配置する。ここで、単語Ｗｉの位置座標の、第ｋ番目の映像コンテンツに対応する座標軸の座標成分は上記関連度ｇｋｉであり、単語Ｗｉの第１空間における位置座標ｇｉは、次式（１）により示される。図３（ａ）は、以上のようにして第１空間に各単語が配置された様子を示している。
【００２５】
【数１】
2007124266.tif 000003
【００２６】
コンテンツ再生装置１０では、次に、上記のようにして第１空間に配置された各単語の位置座標に基づき、第１空間の１又は複数の特徴方向を算出する。特徴方向は、例えば第１空間において単語が集中して配置されている場所を示す方向等とすることができる。ここでは、以下のようにして第１空間の特徴方向を算出するようにしている。すなわち、次式（２）により、第１空間における単語Ｗｉの位置座標ｇｉと単語Ｗｊの位置座標ｇｊの類似度Ｈｉｊを算出するとともに、次式（３）に示すように、類似度Ｈｉｊをｉｊ要素とするＮ×Ｎの類似度行列を求める。ここで、Ｎは単語の総数である。そして、この類似度行列Ｈの固有ベクトルの全部又は一部を特徴方向としている。
【００２７】
【数２】
2007124266.tif 000004
【００２８】
【数３】
2007124266.tif 000005
【００２９】
類似度行列は実対称行列であり、その固有ベクトルはべき乗法によって算出できるものである。そして、べき乗法は、行列要素のうち特徴要素を強め、非特徴要素を平均化する作用を有するものであり、これにより算出される固有ベクトルは、第１空間に内在する特徴方向を顕在化したものと評価できる。なお、特徴方向の算出方法は、上記類似度行列Ｈの固有ベクトルを算出する方法に限定されるものではなく、第１空間における特徴的な方向を算出するものであれば、どのような方法であってもよい。例えば、第１空間において単語が集中配置されている方向等を特徴方向としてもよい。
【００３０】
次に、こうして算出される特徴方向に対応する座標軸により張られる第２空間を用意して、そこに各単語を再配置し、各単語の第２空間における位置座標を算出する。同図（ｂ）には、第２空間に各単語が再配置された様子を示している。第２空間の座標軸は第１空間の特徴方向に対応しており、ある種類の単語の典型的意味合い（同図では、「アウトドア」、「スポーツ」、「趣味」である。）を示している。第２空間における各単語の位置座標を求める場合、具体的には、第１空間における各単語の位置座標を示すベクトルと、第１空間の各特徴方向を示す単位ベクトル（上記類似度行列Ｈの固有ベクトルを長さ１にしたもの）と、の内積を算出し、その値を、第２空間における単語の位置座標のうち、当該特徴方向に対応する座標軸の成分とする。すなわち、第１空間における特徴方向を示す単位ベクトルｅｉ（つまり類似度行列Ｈのｉ番目の固有ベクトルを大きさ１にしたもの。）と、単語Ｗｊの位置座標ｇｊと、の内積を、単語Ｗｊの第２空間における位置座標の第ｉ成分とする。但し、特徴方向の総数をＭとすると、１≦ｉ≦Ｍである。
【００３１】
さらに、コンテンツ再生装置１０では、こうして算出される各単語の第２空間における位置座標に基づいて、コンテンツプレーヤ１２による再生対象となる映像コンテンツ（ディスク読み書き装置１６に現在受け入れられている記録メディアに記憶された映像コンテンツ、記憶装置１３に記憶されている映像コンテンツ、放送チューナ１１から出力される映像コンテンツ）の第２空間における位置座標を算出する。例えば、ある映像コンテンツの位置座標を算出する場合、その映像コンテンツの内容紹介データに含まれる単語のうち、第２空間における位置座標が既に算出されているものを選出する。そして、これらの単語（第２空間配置済み単語）の第２空間における位置座標に基づいて、映像コンテンツの位置座標を算出する。具体的には、第２空間配置済み単語の重心、或いは映像コンテンツの内容紹介データで使用される程度に応じた重み付け重心により、該映像コンテンツの位置座標を算出する。
【００３２】
図４は、コンテンツ再生装置１０の機能ブロック図である。コンテンツ再生装置１０は、機能的には、基本記号記憶部４０、再生済みコンテンツ記号記憶部４１、解析対象記号取得部４２、日付情報生成部４３、記号解析部６０、コンテンツ関連性情報表示部６１、コンテンツ再生制御部５４、放送受信部５５、コンテンツ記憶部５０、再生対象コンテンツ記号取得部５６、内容紹介データ記憶部５１を含んでいる。これらの機能は、コンピュータを中心として構成された制御装置１４において、本実施形態に係るプログラムが実行されることにより実現されている。このプログラムは、記憶装置１３に記憶されてよい。また、ＣＤ−ＲＯＭその他のコンピュータ読み取り可能な情報記憶媒体に格納され、そこからコンテンツ再生装置１０の記憶装置１３にインストールされてもよい。
【００３３】
まず、基本記号記憶部４０は、記憶装置１３を中心として構成されるものであり、図５（ａ）のようにして、単語のグループを複数記憶するものである。これらの単語は、相互に意味的な繋がり（関連性）を有するものであり、例えば世の中で平均的に視聴されるコンテンツを参考にしてコンテンツ再生装置１０の出荷時に予め記憶されるものである。再生済みコンテンツ記号記憶部４１も、記憶装置１３を中心として構成されるものであるが、こちらは図５に示すようにして、既に再生されたコンテンツの内容紹介データに含まれる１以上の単語をコンテンツ毎に記憶するものである。再生済みコンテンツ記号記憶部４１には、各単語群に関連付けて、コンテンツの再生日も記憶される。
【００３４】
解析対象記号取得部４２は、基本記号記憶部４０に記憶される単語、及び再生済みコンテンツ記号記憶部４１に記憶される単語から、解析対象となる複数の単語を取得する。ここでは、基本記号記憶部４０から取得する単語と、再生済みコンテンツ記号記憶部４１から取得する単語と、の割合を時間経過とともに変化させるようにしている。すなわち、再生済みコンテンツが少ない場合、その分を基本記号から取得するようにしている。これにより、出荷時から妥当な記号解析が実施できるとともに、記号解析をやり直して、コンテンツ関連性情報３０を更新した場合に、その内容が急激に変化しないようにでき、ユーザの利便性が向上する。また、日付情報生成部４３は、記号解析が行われ、コンテンツ関連性情報３０が更新される日の日付を生成するようになっており、解析対象記号取得部４２は、再生済みコンテンツ記号記憶部４１から記号を読み出す際、所定日数以上前に再生されたコンテンツに関する単語は取得しないようにしている。こうして、最近の利用実態に即した記号解析を実現している。
【００３５】
記号解析部６０は、解析対象記号取得部４２により取得される各単語の関連性を解析するものであり、第１位置座標算出部４４、類似度行列算出部４５、固有値・固有ベクトル算出部４６、第２位置座標算出部４７、第２位置座標記憶部４８を含んでいる。まず、第１位置座標算出部４４は、解析対象記号取得部４２により取得される各単語について、上述したようにして第１空間における位置座標を算出するものである。こうして算出される位置座標は類似度行列算出部４５及び第２位置座標算出部４７に供給される。
【００３６】
類似度行列算出部４５は、上記式（２）に従って各単語間の類似度Ｈｉｊを算出し、それを行列要素とする類似度行列Ｈを算出する。固有値・固有ベクトル算出部４６は、こうして算出される類似度行列Ｈの固有値・固有ベクトルを算出する。類似度行列Ｈは実対称行列であるから、例えばべき乗法等のコンピュータ処理に適した方法により、その固有値・固有ベクトルを容易に求めることができる。第２位置座標算出部４７は、こうして算出される固有ベクトルのうち全部又は固有値の大きなものから順に所定個数を選択し、それを単位ベクトル化し、第１空間の特徴方向を示すベクトルとする。そして、それらのベクトルと、第１位置座標算出部１４ｃから供給される位置座標と、の内積を計算することにより、各単語の第２空間における位置座標を算出する。これらの位置座標は、記憶装置１３を中心として構成される第２位置座標記憶部４８に記憶される。
【００３７】
内容紹介データ記憶部５１は、記憶装置１３を中心として構成されるものであり、ＥＰＧデータに含まれる各コンテンツの内容紹介データを記憶する。再生対象コンテンツ記号取得部５６は、再生対象であるコンテンツの内容紹介データを取得して、そこから単語を抽出する。抽出した単語はコンテンツ関連性情報表示部６１に供給される。
【００３８】
コンテンツ関連性情報表示部６１は、記号解析部６０による解析結果（第２位置座標記憶部４８の記憶内容）と、再生対象コンテンツ記号取得部５６により取得される各記号と、に基づいて、再生対象である１又は複数のコンテンツのうち一部又は全部の関連性を示すコンテンツ関連性情報３０を家庭用テレビ受像機２０に表示するものである。ここでは、コンテンツ関連性情報表示部６１は、ユーザインタフェース部５３、コンテンツ関連性情報生成部５２、コンテンツ位置座標算出部４９を含んでいる。
【００３９】
コンテンツ位置座標算出部４９は、再生対象となるコンテンツの第２空間における位置座標を算出するものであり、上述のように、再生対象となるコンテンツについて再生対象コンテンツ記号取得部５６により取得された単語の第２空間における位置座標を第２位置座標記憶部４８から読み出し、その位置座標の重心又は重み付き重心の位置を、該コンテンツの位置座標とする。コンテンツ関連性情報生成部５２は、図２に示すように、こうして算出された位置座標がマーカ３２により識別表示された、第２空間の一部又は全部を示す画像をコンテンツ関連性情報３０として表示する。
【００４０】
ユーザインタフェース部５３は、制御装置１４及び操作キー部１５を含んで構成されており、コンテンツ関連性情報生成部５２で生成されるコンテンツ関連性情報３０を家庭用テレビ受像機２０に表示する。また、操作キー部１５におけるカーソル移動キーの操作に応じてカーソル１６を画面上で移動させ、再生キーの操作が行われた場合に、その時点でのカーソル１６の位置に表示されたマーカ３２に対応するコンテンツの再生をコンテンツ再生制御部５４に指示する。コンテンツ記憶部５０は、記憶装置１３及びディスク読み書き装置１６を中心として構成されており、また放送受信部５５は放送チューナ１１を中心として構成されており、コンテンツ再生制御部５４は、ユーザインタフェース部５３からの指示に従ってコンテンツプレーヤ１２を制御し、カーソル１６の位置に対応するコンテンツをコンテンツ記憶部５０又は放送受信部５５から取得して、それを家庭用テレビ受像機２０に出力する。このとき、再生したコンテンツについては、内容紹介データ記憶部５１から内容紹介データを取得し、そこに含まれる単語を抽出し、それらを再生日ととともに再生済みコンテンツ記号記憶部４１に格納する。
【００４１】
以上のようにすれば、コンテンツ再生装置１０において実際に再生されたコンテンツに関連する単語を用いて単語解析を行い、その解析結果に基づいてコンテンツ関連性情報３０を家庭用テレビ受像機２０に表示するので、ユーザの実際の利用に即してコンテンツを案内することが可能となる。また、検索条件等の入力操作が特段必要なく、またコンテンツ関連性情報３０を見て、多くのコンテンツの中から、ユーザは現在の嗜好に合致したコンテンツを素早く見つけることができる。
【００４２】
なお、本発明は上記実施形態に限定されるものではなく、本発明の範囲には上記実施形態の各種変形が含まれる。例えば、以上の説明では、ＥＰＧデータに含まれる内容紹介データから単語を取得するようにしたが、コンテンツ自体から単語を取得するようにしてもよい。また、コンテンツ自体から画像や映像、音声等に関し特徴抽出を行い、これを基に解析を行ってもよい。
【図面の簡単な説明】
【００４３】
【図１】本発明の実施形態に係るコンテンツ再生装置のハードウェア構成を示す図である。
【図２】家庭用テレビ受像機２０に表示されるコンテンツ関連性情報の一例を示す図である。
【図３】コンテンツ関連性情報の生成方法を説明する図である。
【図４】本発明の実施形態に係るコンテンツ再生装置の機能ブロック図である。
【図５】基本記号記憶部（ａ）及び再生済みコンテンツ記号記憶部（ｂ）の記憶内容を示す図である。
【符号の説明】
【００４４】
１０  コンテンツ再生装置、１１  放送チューナ、１２  コンテンツプレーヤ、１３  記憶装置、１４  制御装置、１５  操作キー部、１６  ディスク読み書き装置、２０  家庭用テレビ受像機、３０  コンテンツ関連性情報、３２  マーカ、３４  座標軸、３６  カーソル、４０  基本記号記憶部、４１  再生済みコンテンツ記号記憶部、４２  解析対象記号取得部、４３  日付情報生成部、４４  第１位置座標算出部、４５  類似度行列算出部、４６  固有値・固有ベクトル算出部、４７  第２位置座標算出部、４８  第２位置座標記憶部、４９  コンテンツ位置座標算出部、５０  コンテンツ記憶部、５１  内容紹介データ記憶部、５２  コンテンツ関連性情報生成部、５３  ユーザインタフェース部、５４  コンテンツ再生制御部、５５  放送受信部、５６  再生対象コンテンツ記号取得部、６０  記号解析部、６１  コンテンツ関連性情報表示部。
【図１】
2007124266.tif 000006
【図２】
2007124266.tif 000007
【図３】
2007124266.tif 000008
【図４】
2007124266.tif 000009
【図５】
2007124266.tif 000010